(57)【特許請求の範囲】
【請求項１】
カメラブロックとストレージブロックとが、連結手段によって、互いに着脱自在な状態で連結されてなる撮像装置であって、
前記カメラブロックは、
被写体の撮像を行なう撮像手段と、
画像信号の記録・再生を行なう画像信号記録・再生手段と、
画像信号が格納される副格納手段と、
全体の動作を制御する主制御手段とを備え、
前記ストレージブロックは、
画像信号が格納される主格納手段と、
集音を行なうマイクと、
前記マイクによる集音音声のレベルを検出するセンサと、
該主格納手段に対する記録・再生動作を制御する駆動制御手段とを備え、
前記マイク及び前記センサは、前記ストレージブロックのみに設けられ、
前記主制御手段は、前記カメラブロックに前記ストレージブロックが装着された状態では、前記画像信号を、前記副格納手段に所定の記憶量格納した後に、前記所定の記憶量ずつ前記副格納手段から読み出して前記主格納手段に格納し、前記カメラブロックから前記ストレージブロックが装脱された状態では、前記画像信号を前記副格納手段に格納し、前記副格納手段の残り記憶容量が所定の記憶容量まで減少すると警報を発すること
を特徴とする撮像装置。
【請求項２】
請求項１記載の撮像装置において、
前記主格納手段の残り記憶容量を表示する表示手段を備えること
を特徴とする撮像装置。
【請求項３】
請求項１記載の撮像装置において、
前記主制御手段は、前記カメラブロックに前記ストレージブロックが装着された状態では、前記主格納手段から前記画像信号を、前記副格納手段を介して再生するように、前記画像信号記録・再生手段を制御し、前記カメラブロックから前記ストレージブロックが装脱された状態では、前記副格納手段から前記画像信号を直接再生するように、前記画像信号記録・再生手段を制御する機能を備えていること
を特徴とする撮像装置。
【請求項４】
請求項１記載の撮像装置において、
前記主制御手段は、前記センサが検出した音声レベルが所定のレベル以下であった場合には、前記主格納手段の駆動を停止すること
を特徴とする撮像装置。
【発明の詳細な説明】
【０００１】
【発明の属する技術分野】
本発明は、映像信号と音声信号の記録と再生を行なうビデオカメラに関する。
【０００２】
【従来の技術】
ビデオカメラには、光ディスクや磁気ディスクを記録媒体として使用し、主として静止画の撮像を行なうディスクカメラや、磁気テープを記録媒体に使用し、静止画と動画との撮像が可能なカメラ一体型ＶＴＲがある。一方では、半導体メモリを記録媒体として使用し、静止画を撮像するディジタルスチルカメラが利用されている。
【０００３】
【発明が解決しようとする課題】
ディスクカメラに使用される光ディスクや磁気ディスク、カメラ一体型ＶＴＲに使用される磁気テープは、記憶容量が大きくコストの面でも有利であるが、一方では、重量があり消費電力が多く、アクセス性の上でも問題があり、例えば磁気テープを使用すると、静止画を１枚単位で処理する場合に検索性で問題が生じてしまう。
一方、半導体メモリを記録媒体として使用するディジタルスチルカメラは、軽量で携帯性に優れているが、半導体メモリを記録媒体としているために、多枚数の静止画や動画、音声を記録する場合には記憶容量が不足することがある。
【０００４】
本発明は、前述したような各種のビデオカメラの現状に鑑みてなされたものであり、その目的は、簡単な操作により総合ビデオカメラと携帯型の簡易ビデオカメラとの使い分けを行なって、静止画、動画及び音声の記録再生をそれぞれ適確に行なうことが可能なビデオカメラを提供することにある。
【０００５】
【課題を解決するための手段】
前記目的を達成するために、本発明は、カメラブロックとストレージブロックとが、連結手段によって、互いに着脱自在な状態で連結されてなる撮像装置において、被写体の撮像を行なう撮像手段と、画像信号の記録・再生を行なう画像信号記録・再生手段と、画像信号が格納される副格納手段と、全体の動作を制御する主制御手段とが前記カメラブロックに収納され、画像信号が格納される主格納手段と、集音を行なうマイクと、前記マイクによる集音音声のレベルを検出するセンサと、該主格納手段に対する記録・再生動作を制御する駆動制御手段とが前記ストレージブロックに収納され、前記主制御手段は、前記カメラブロックに前記ストレージブロックが装着された状態では、前記画像信号を、前記副格納手段に所定の記憶量格納した後に、所定の記憶量ずつ前記副格納手段から読み出して前記主格納手段に格納し、前記カメラブロックから前記ストレージブロックが装脱された状態では、前記画像信号を前記副格納手段に格納し、前記副格納手段の残り記憶容量が所定の記憶容量まで減少すると警報を発することを特徴とするものである。
【０００７】
同様に前記目的を達成するために、本発明は、カメラブロックとストレージブロックとが、連結手段によって、互いに着脱自在な状態で連結されてなる撮像装置であって、被写体の撮像を行なう撮像手段と、画像信号の記録・再生を行なう画像信号記録・再生手段と、画像信号が格納される副格納手段と、全体の動作を制御する主制御手段とが前記カメラブロックに収納され、画像信号が格納される主格納手段と、集音を行なうマイクと、前記マイクによる集音音声のレベルを検出するセンサと該主格納手段に対する記録・再生動作を制御する駆動制御手段とが前記ストレージブロックに収納されている撮像装置において、前記主格納手段の残り記憶容量を表示する表示手段を有し、前記主制御手段は、前記カメラブロックに前記ストレージブロックが装着された状態では、前記画像信号を、前記副格納手段に所定の記憶量格納した後に、前記所定の記憶量ずつ前記副格納手段から読み出して前記主格納手段に格納し、前記カメラブロックから前記ストレージブロックが装脱された状態では、前記画像信号を前記副格納手段に格納し、前記副格納手段の残り記憶容量が所定の記憶容量まで減少すると警報を発することを特徴とするものである。
【０００８】
【発明の実施の形態】
以下に、本発明の一実施の携帯を、図１ないし図４を参照して説明する。
図１は本実施の形態の構成を示す説明図、図２は本実施の形態の全体構成を示すブロック図、図３は本実施の形態の記録系の構成を示すブロック図、図４は本実施の形態の再生系の構成を示すブロック図である。
【０００９】
本実施の形態に係るビデオカメラ装置は、図１及び図２に示すように、着脱コネクタ２５によって、互いに着脱自在なカメラブロック１と記録・再生ドライブブロック２とから構成され、記録・再生ドライブブロック２には、図１（ａ）に示すように、記録媒体として光ディスク媒体３が装着されており、カメラブロック１から記録・再生ドライブブロック２を装脱すると、同図（ｂ）に示すように、カメラブロック１が単独で使用可能に構成されている。
また、カメラブロック１に記録・再生ブロック２を連結した使用状態では、記録再生信号Ｆｒｉ、制御信号Ｆｃ及び電源信号Ｆｐが、両ブロックにわたって供給されて、ビデオカメラの記録・再生動作動作が行なわれるように構成されている。
【００１０】
本実施の形態の記録系は、図３に示すような構成となっており、カメラブロック１においては、カメラユニット２２Ａと制御ユニット２３とが区分配設され、カメラユニット２２Ａでは、集音動作を行なうマイク７に、マイク７からの音声信号に対して、レベル調整やＡＤ変換などの信号処理を行なう音声信号処理回路８が接続され、音声信号処理回路８には、音声信号の圧縮を行なう音声信号圧縮回路９が接続され、音声信号圧縮回路９の出力端子が、マルチプレクサ１０の一方の入力端子に接続されている。
【００１１】
同様に、カメラユニット２２Ａでは、被写体を撮像して映像信号を出力する撮像素子１２が、ＡＧＣ、色分離、エンハンス、コアリング、ガンマ補正、ホワイトバランス、ＡＤ変換などの映像信号処理を行なう映像信号処理回路１３に接続され、映像信号処理回路１３には、映像信号の圧縮（ＪＰＥＧ、ＭＰＥＧ−１、ＭＰＥＧ−２）を行なう映像信号圧縮回路１４と、映像信号を表示する表示部１５とが接続され、映像信号圧縮回路１４は、マルチプレクサ１０の他の入力端子に接続されている。
そして、マルチプレクサ１０の出力端子には、映像信号及び音声信号が一時的に格納される不揮発性の一時記憶メモリ１１が接続され、一時記憶メモリ１１には残り記憶容量の警報を行なう警報ランプ３１が接続されている。この一時記憶メモリ１１の記憶容量は、２ＭＢｙｔｅ以上に設定されている。
【００１２】
また、記録・再生ドライブブロック２では、記録時の変調と再生時の復調とを行なう変復調回路２１に光ピックアップ１９が接続されて記録・再生駆動部２４が構成され、この記録・再生駆動部２４に、光ディスク媒体３が装着されたドライブ２０が接続され、ドライブ２０には残り記憶容量を表示する表示器３２が接続されている。
【００１３】
一方、本実施の形態の再生系の構成は、図４に示すようになっていて、カメラブロック１の再生系のカメラユニット２２Ｂでは、警報ランプ３１が接続された一時記憶メモリ１１に、デマルチプレクサ２６が接続され、デマルチプレクサ２６の一方の出力端子には、音声信号の伸張を行なう音声圧縮復号回路２７が接続され、音声圧縮復号回路２７には、帯域外信号の除去とレベル調整を行なう音声信号処理回路２９が接続されている。
また、デマルチプレクサ２６の他の出力端子には、映像信号を伸張する映像圧縮復号回路２８が接続され、映像圧縮復号回路２８には、帯域外信号の除去とレベル調整を行なう映像信号処理回路３０が接続され、映像信号処理回路３０には、映像信号を表示する表示部１５が接続されている。
本実施の形態の再生系のその他の部分の構成は、すでに図３を参照して説明した記録系の構成と共通しているので、重複する説明は行なわない。
【００１４】
このような構成の本実施の形態の動作を説明する。
先ず、カメラブロック１と記録・再生ドライブブロック２とが、着脱コネクタ２５で互いに一体に接続されている場合の動作を説明する。
オペレータが操作部１６に入力した記録指令信号に基づいて、制御回路１７からは、カメラユニット制御信号Ｆｃ２がカメラユニット２２Ａに供給され、ドライブ制御信号Ｆｃ１が記録・再生ドライブブロック２に供給され、カメラユニット２２Ａと記録・再生ドライブブロック２とが作動状態となる。
【００１５】
この状態で、記録動作時には、マイク７で集音された音声が、マイク７から音声信号に電気変換されて出力され、音声信号処理回路８において、レベル調整とＡＤ変換とが行なわれ、信号処理された音声信号は、音声信号圧縮回路９に入力されて音声圧縮処理が行なわれた後に、マルチプレクサ１０の一方の入力端子に入力される。
同時に、撮像素子１２で撮像された被写体の映像信号が、撮像素子１２から出力されて、映像信号処理回路１３に入力され、映像信号処理回路１３では、ＡＧＣ、色分離、エンハンス、コアリング、ガンマ補正、ホワイトバランス、ＡＤ変換などの信号処理が行なわれ、信号処理された映像信号は、表示部１５に表示されると共に、映像信号圧縮回路１４に入力され、映像信号圧縮回路１４で、ＪＰＥＧ、ＭＰＥＧ−１、ＭＰＥＧ−２などの信号圧縮が行なわれ、信号圧縮された映像信号が、マルチプレクサ１０の他方の入力端子に入力される。
【００１６】
このようにして、オペレータは、撮像中の被写体の映像を表示部１５で確認しながら撮像動作を行なうことができ、マルチプレクサ１０では、圧縮された音声信号と映像信号が多重化され、多重化された記録再生信号Ｆｒｉが一時記憶メモリ１１に記録されて行く。この記録再生信号Ｆｒｉが一時記憶メモリ１１に所定の記憶容量分、例えば１ＭＢｙｔｅ記憶されると、制御回路１７の指令によって、一時記憶メモリ１１から記憶再生信号Ｆｒｉが読み出される。
そして、読み出された記録再生信号Ｆｒｉは、変復調回路２１に転送され、変復調回路２１で、光ディスク媒体３に対応する変調が施され、さらにエラー訂正の符号が付され、光ピックアップ１９に入力され、ドライブ制御信号Ｆｃ１で駆動されるドライブ２０の光ディスク媒体３に記録される。
この時、光ディスク媒体３への記録再生信号Ｆｒｉの記録に伴って、表示器３２に光ディスク媒体３の残り記憶容量が表示される。
【００１７】
再生動作時には、オペレータが操作部１６から再生指令信号を入力すると、制御回路１７の指令によつて、ドライブ２０の光ディスク媒体３から、光ピックアップ１９によって、記録再生信号Ｆｒｉが再生され、再生された記録再生信号Ｆｒｉに、変復調回路２１で復号処理とエラー訂正処理とが施され、記録再生信号Ｆｒｉは記録された状態にビットストリーム化され、一時記憶メモリ１１に格納される。
【００１８】
次いで、一時記憶メモリ１１から読み出された記録再生信号Ｆｒｉは、デマルチプレクサ２６において、時分割多重化状態から、音声信号と映像信号とが分離された状態とされる。そして、分離された音声信号は音声圧縮復号回路２７において、音声信号の伸張が行なわれ、次いで、音声信号は音声信号処理回路２９に入力され、音声信号処理回路２９では、帯域外の信号の除去とレベルの調整が行なわれ、音声出力信号Ｆｏとして出力される。
【００１９】
また、デマルチプレクサ２６から分離出力される映像信号は、映像圧縮復号回路２８において、映像信号の伸張処理が行なわれ、次いで映像信号は、映像信号処理回路３０に入力され、映像信号処理回路３０では、帯域外の信号の除去とレベルの調整が行なわれ、表示部１５に表示されると共に、映像出力信号Ｆｖとして出力される。
【００２０】
このように、本実施の形態において、  カメラブロック１と記録・再生ドライブブロック２とを、着脱コネクタ２５によって、互いに一体化連結して使用すると、光ディスク媒体３の記憶容量分の被写体の静止画、動画及び音声を記録し、再生させることができるが、記録時には記録再生信号Ｆｒｉは、一時記憶メモリ１１に所定容量分、例えば１ＭＢｙｔｅ記録される度に、一時記憶メモリ１１から読み出されて、記録・再生ドライブブロック２に転送され、光ディスク媒体３に格納されるので、従来のようにドライブ２０を、連続して間歇的に駆動させる必要がなくなり、消費電力を削減しドライブ２０駆動の騒音も低減することが可能になり、ドライブ２０の動作寿命の延長も可能になる。
【００２１】
次に、カメラブロック１から記録・再生ドライブブロック２が、着脱コネクタ２５部分で分離装脱された場合の動作を説明する。
記録動作時には、オペレータの操作部１６からの記録指令信号の入力により、制御ユニット２３から供給されるカメラユニット制御信号Ｆｃ２によって、カメラユニット２２Ａが作動状態となり、カメラブロック１においては、マイク７で集音された音声が、マイク７から音声信号に電気変換されて出力され、音声信号処理回路８において、レベル調整とＡＤ変換とが行なわれ、信号処理された音声信号は、音声信号圧縮回路９に入力されて音声圧縮処理が行なわれた後に、マルチプレクサ１０の一方の入力端子に入力される。
同時に、撮像素子１２で撮像された被写体の映像信号が、撮像素子１２から出力されて、映像信号処理回路１３に入力され、映像信号処理回路１３で、ＡＧＣ、色分離、エンハンス、コアリング、ガンマ補正、ホワイトバランス、ＡＤ変換などの信号処理が行なわれ、信号処理された映像信号は、表示部１５に表示されると共に、映像信号圧縮回路１４に入力され、映像信号圧縮回路１４で、ＪＰＥＧ、ＭＰＥＧ−１、ＭＰＥＧ−２などの信号圧縮が行なわれ、信号圧縮された映像信号が、マルチプレクサ１０の他方の入力端子に入力される。
【００２２】
このようにして、オペレータは、撮像中の被写体の映像を表示部１５で確認しながら撮像動作を行なうことができ、マルチプレクサ１０で圧縮された音声信号と映像信号が多重化され、多重化された記録再生信号Ｆｒｉが一時記憶メモリ１１に記憶される。この場合、一時記憶メモリ１１の残り記憶容量が所定値を下回ると、警報ランプ３１が点滅して、オペレータに残り記憶容量が少ないことが通報される。
【００２３】
再生動作時には、オペレータの操作部１６からの再生指令信号の入力によって、一時記憶メモリ１１から、制御回路１７の指令によって、記録・再生信号Ｆｒｉが読み出され、デマルチプレクサ２６において、時分割多重化状態から、音声信号と映像信号とが分離された状態とされる。そして、音声信号は音声圧縮復号回路２７に入力され、音声圧縮復号回路２７では音声信号の伸張が行なわれ、次いで、音声信号は音声信号処理回路２９に入力され、音声信号処理回路２９では、帯域外の信号の除去とレベルの調整が行なわれ、信号処理された音声信号は音声出力信号Ｆｏとして出力される。
【００２４】
また、デマルチプレクサ２６から分離出力される映像信号は、映像圧縮復号回路２８に入力され、映像圧縮復号回路２８では、映像信号の伸張処理が行なわれ、伸張処理された映像信号は、映像信号処理回路３０に入力され、映像信号処理回路３０では、帯域外の信号の除去とレベルの調整が行なわれ、信号処理された映像信号は、表示部１５に表示されると共に、映像出力信号Ｆｖとして出力される。
【００２５】
このように、本実施の形態において、カメラブロック１と記録・再生ドライブブロック２とを、着脱コネクタ２５部分で互いに分離した状態で、カメラブロック１を使用すると、一時記憶メモリ１１の記憶容量分の被写体の静止画や音声を記録することができるが、この場合には、重量のある記録・再生ドライブブロック２が取り外されて、軽量化され携帯性に優れたビデオカメラとして使用可能になる。
例えば、静止画１枚に１００ｋＢｙｔｅを使用すると、一時的記憶メモリ１１の記憶容量を１ＭＢｙｔｅとして１０枚、２ＭＢｙｔｅとして２０枚の静止画を一度に処理することが可能になる。また、一時記憶メモリ１１の残り記憶容量が所定量以下になると、警報ランプ３１が点滅するので、一時記憶メモリ１１の記憶容量に対応した適確な撮像処理を行なうことが可能になる。
【００２６】
本発明は、以上に説明した実施の形態に限定されるものではなく、例えば、マイク７、音声信号処理回路８及び音声信号圧縮回路９を、記録・再生ドライブブロック２に収納し、カメラブロック１の重量をさらに削減してより携帯に便利な構成とすることも可能である。
また、センサによりマイク７による集音音声のレベルを検出し、所定レベル以下の音の集音時には、ドライブ２０の駆動を停止し、ドライブ２０の駆動音がマイク７に入らないようにすることも可能である。
さらに、一時記憶メモリ１１にＤＲＡＭを使用し、記録保持の電源を別途設けた構成とすることも可能である。
【００２７】
【発明の効果】
本発明によると、撮像手段による被写体の撮像が行なわれ、得られる画像信号が、画像記録・再生手段により、副格納手段に一時的に格納された後に、駆動制御手段により主格納手段に格納され、主格納手段から再生された画像信号により、動画或いは静止画の表示が行なわれて、総合ビデオカメラの機能を発揮することが可能になり、主格納手段の記録駆動が必要時のみに限定され、消費電力の削減、騒音低減及び動作寿命の延長が可能になる。
【００２８】
また本発明によると、副格納手段の残り記憶容量が所定の記憶容量まで減少すると警報が発せられるので、副格納手段の記憶容量に適確に対応して効率的な撮像動作を行なうことが可能になる。
【００２９】
また本発明によると、表示手段により主格納手段の残り記憶容量が表示されるので、主格納手段の記憶容量に適確に対応して効率的な撮像動作を行なうことが可能になる。
【００３０】
また本発明によると、カメラブロックとストレージブロックを連結手段により連結させた状態では、総合ビデオカメラとして使用され、カメラブロックからストレージブロックを取り除いた状態では、撮像手段、画像信号記録・再生手段、副格納手段、表示手段及び全体の動作を制御する主制御手段のみが収納されたカメラブロックが、軽量で携帯し易いスチルカメラとして単独使用可能になり、目的に応じて連結手段による連結或いは分離の簡単な操作で、総合ビデオカメラと携帯に便利なスチルカメラとの使い分けが可能になる。
【００３１】
また本発明によると、主制御手段により、カメラブロックにストレージブロックが装着された状態では、記録動作時に、画像信号は、副格納手段に格納された所定の記憶容量分ずつ、副格納手段から読み出されて主格納手段に格納されるように、主制御手段によって、画像信号記録・再生手段が制御されるので、画像信号の記録時に、主格納手段への記録動作を間欠的に継続して行なうことが不要となり、主格納手段に対する記録動作時の消費電力を削減し、騒音の発生を低減することが可能になる。
【図面の簡単な説明】
【図１】本発明の一実施の形態の構成を示す説明図である。
【図２】同実施の形態の全体構成を示すブロック図である。
【図３】同実施の形態の記録系の構成を示すブロック図である。
【図４】同実施の形態の再生系の構成を示すブロック図である。
【符号の説明】
１…カメラブロック、２…記録・再生ドライブブロック、３…光ディスク媒体、７…マイク、８…音声信号処理回路、９…音声信号圧縮回路、１１…一時記憶メモリ、１２…撮像素子、１３…映像信号処理回路、１４…映像信号圧縮回路、１５…表示部、１７…制御回路、１９…光ピックアップ、２０…ドライブ、２１…変復調回路、２４…記録・再生駆動部、２５…着脱コネクタ、２７…音声圧縮復号回路、２８…映像圧縮復号回路、２９…音声信号処理回路、３０…映像信号処理回路。
【図１】
0004478228.tif 000002
【図２】
0004478228.tif 000003
【図３】
0004478228.tif 000004
【図４】
0004478228.tif 000005